(57)【要約】【課題】絶縁ハウジング内に配線板状部材が差し込まれるコネクタ装置であって、差し込まれた配線板状部材についての不所望な離脱を阻止するための係止を、全体の小型化や低背化に支障をきたすことなく安定に行なうことができるものを提供する。【解決手段】絶縁ハウジング（１１）と、絶縁ハウジング内に配された複数のコンタクト（１３，１４）と、複数のコンタクトを絶縁ハウジング内に差し込まれた配線板状部材（２０）に接触させるアクチュエータ（１５）と，絶縁ハウジング内に差し込まれた配線板状部材を係止する係止部材（３０）とを備え、係止部材が固定部（３２）とそれから折り返して伸びる可動折返部（３４）とそれから屈曲して突出する突出係合部（３５）とを有し、可動折返部が突出係合部を伴って配線板状部材の板面に平行な方向に弾性変位せしめられて、突出係合部が配線板状部材に設けられた切欠き係合部（２３）に係合する。【選択図】図５
2010027520.tif 000002
【特許請求の範囲】
【請求項１】
板状部材差込み部が設けられた絶縁ハウジングと、
該絶縁ハウジング内に配列配置され、上記板状部材差込み部を通じて上記絶縁ハウジング内に差し込まれた配線板状部材における複数の接続端子部に夫々対応する位置をとるものとされる複数のコンタクトと、
上記絶縁ハウジングに対して回動可能に設けられて上記複数のコンタクトに係合し、上記配線板状部材が上記板状部材差込み部を通じて上記絶縁ハウジング内に差し込まれたもとで、第１の静止位置から第２の静止位置に移行せしめられるとき、上記複数のコンタクトの夫々に上記複数の接続端子部のうちの対応するものに対する押圧接触状態をとらせ、上記第２の静止位置から上記第１の静止位置に移行せしめられるとき、上記複数のコンタクトの夫々を上記複数の接続端子部のうちの対応するものに対する押圧接触状態から解放するアクチュエータと、
上記絶縁ハウジングにおける上記複数のコンタクトの配列方向の側端部に配され、上記絶縁ハウジング内に差し込まれた上記配線板状部材の側端縁部に設けられた切欠き係合部に係合して該配線板状部材を係止する状態をとる係止部材と、
を備えて成り、
上記係止部材が、弾性材により形成されて、上記絶縁ハウジングにおける側端部を構成する部材に固定される固定部と該固定部に連結された突出係合部とを有し、上記配線板状部材が上記絶縁ハウジング内に差し込まれたもとで上記アクチュエータが上記第２の静止位置におかれるとき、該アクチュエータに設けられた突起部が上記係止部材に係合することにより、上記突出係合部が、上記絶縁ハウジング内に差し込まれた上記配線板状部材の板面に平行な方向に弾性変位せしめられて、上記配線板状部材の側端縁部に設けられた切欠き係合部に係合することを特徴とするコネクタ装置。
【請求項２】
上記係止部材が、上記絶縁ハウジングにおける上記複数のコンタクトの配列方向において相互対向する一対の側端部の夫々に配されることを特徴とする請求項１記載のコネクタ装置。
【請求項３】
上記係止部材が、上記固定部及び突出係合部に加えて、上記固定部から折り返して伸びる可動折返部を有し、上記突出係合部が上記可動折返部から屈曲して突出するものとされ、上記配線板状部材が上記絶縁ハウジング内に差し込まれたもとで上記アクチュエータが上記第２の静止位置におかれるとき、該アクチュエータに設けられた突起部が、上記固定部と上記可動折返部との間に差し込まれ、上記可動折返部が上記突出係合部を伴って上記絶縁ハウジング内に差し込まれた上記配線板状部材の板面に平行な方向に弾性変位せしめられて、上記突出係合部が上記配線板状部材の側端縁部に設けられた切欠き係合部に係合する状態とされることを特徴とする請求項１または２記載のコネクタ装置。
【請求項４】
上記係止部材が、上記固定部及び突出係合部に加えて、上記固定部から折り返して伸びる可動折返部及び該可動折返部からさらに折り返して伸びる付加可動折返部を有し、上記突出係合部が上記付加可動折返部から屈曲して突出するものとされ、上記配線板状部材が上記絶縁ハウジング内に差し込まれたもとで上記アクチュエータが上記第２の静止位置におかれるとき、該アクチュエータに設けられた突起部が、上記可動折返部と上記付加可動折返部との間に差し込まれ、上記付加可動折返部が上記突出係合部を伴って上記絶縁ハウジング内に差し込まれた上記配線板状部材の板面に平行な方向に弾性変位せしめられて、上記突出係合部が上記配線板状部材の側端縁部に設けられた切欠き係合部に係合する状態とされることを特徴とする請求項１または２記載のコネクタ装置。
【請求項５】
上記係止部材が、上記固定部と上記可動折返部とがＵ字状部によって連結されて成ることを特徴とする請求項３または４記載のコネクタ装置。
【請求項６】
上記アクチュエータが、上記絶縁ハウジングにおける上記板状部材差込み部が設けられた一端縁部に対向する他端縁部側に配された仮想回動軸部を成す一端部と該一端部に対向する自由端部を成す他端部とを有し、上記第１の静止位置から上記第２の静止位置に移行せしめられるとき、上記他端部が上記一端縁部側に向かう方向の回動を行うものとされ、該他端部側における上記回動に際して上記絶縁ハウジング内に臨む面に上記突起部が設けられることを特徴とする請求項１記載のコネクタ装置。
【請求項７】
上記アクチュエータが、上記絶縁ハウジングにおける上記板状部材差込み部が設けられた一端縁部に対向する他端縁部側に配された仮想回動軸部を成す一端部と該一端部に対向する自由端部を成す他端部とを有し、上記第１の静止位置から上記第２の静止位置に移行せしめられるとき、上記他端部が上記一端縁部側に向かう方向に回動を行うものとされ、該他端部側の上記複数のコンタクトの配列方向において相互対向する一対の側端部分の夫々における上記回動に際して上記絶縁ハウジング内に臨む面に、上記突起部が設けられることを特徴とする請求項２記載のコネクタ装置。
【請求項８】
上記アクチュエータが、上記絶縁ハウジングにおける上記板状部材差込み部が設けられた一端縁部に対向する他端縁部側に配された仮想回動軸部を成す一端部と該一端部に対向する自由端部を成す他端部とを有し、上記第１の静止位置から上記第２の静止位置に移行せしめられるとき、上記他端部が上記一端縁部側から遠ざかる方向に回動を行うものとされ、上記一端部に上記突起部が設けられることを特徴とする請求項１記載のコネクタ装置。
【請求項９】
上記アクチュエータが、上記絶縁ハウジングにおける上記板状部材差込み部が設けられた一端縁部に対向する他端縁部側に配された仮想回動軸部を成す一端部と該一端部に対向する自由端部を成す他端部とを有し、上記第１の静止位置から上記第２の静止位置に移行せしめられるとき、上記他端部が上記一端縁部側から遠ざかる方向に回動を行うものとされ、上記一端部の上記複数のコンタクトの配列方向において相互対向する一対の側端部分の夫々に、上記突起部が設けられることを特徴とする請求項２記載のコネクタ装置。
【発明の詳細な説明】
【技術分野】
【０００１】
本願の特許請求の範囲に記載された発明は、フレキシブル印刷配線基板（ＦＰＣ）や平板状ケーブル（ＦＦＣ）等の配線板状部材に設けられた接続端子部を、他の配線基板等とされる他の電気部品に電気的に接続された状態とするため、配線板状部材に離脱を防止すべく係合する係止部材と接続端子部に押圧接触するコンタクトとを備えたコネクタ装置に関する。
【背景技術】
【０００２】
各種の電子機器に実装される比較的小型なフレキシブル印刷配線基板や平板状ケーブル等の配線板状部材は、各種の電気部品が取り付けられる主配線基板への取付けが、当該主配線基板に電気的接続がなされて固定されるコネクタ装置が用いられて行われることが多いものとされる。このような配線板状部材の主配線基板への取付けにあたって用いられるコネクタ装置は、配線板状部材に設けられた接続端子部に接触する導電性のコンタクトを有していて、そのコンタクトを介して、配線板状部材に設けられた接続端子部を主配線基板に設けられた配線部に電気的に接続する。
【０００３】
従来提案されている、例えば、フレキシブル印刷配線基板とされる配線板状部材の主配線基板への取付けに用いられるコネクタ装置は、配線板状部材が差し込まれる差込み部が設けられたものとされて、主配線基板に配される絶縁ハウジングを有したものとされる。そして、その絶縁ハウジング内に配列配置されて設けられ、配線板状部材が差込み部を通じて絶縁ハウジングに差し込まれるとき、その配線板状部材に設けられた複数の接続端子部に夫々対応するものとなる複数のコンタクトと、絶縁ハウジングに対して回動可能に設けられ、複数のコンタクトの夫々に係合して、回動せしめられるとき複数のコンタクトの夫々における作動部を変位させ、それにより複数のコンタクトを複数の接続端子部に夫々押圧接触させるアクチュエータとが備えられる。
【０００４】
アクチュエータは、全体がコンタクトの配列方向に沿って伸びる形状を有し、例えば、絶縁ハウジングにおける差込み部が設けられた端縁部（説明の便宜上、正面側端縁部という。）に対向する反対側の端縁部（説明の便宜上、背面側端縁部という。）側に配されて、複数のコンタクトの配列方向に沿う方向に伸びる仮想回転軸線をもって回動可能なものとされる。そして、アクチュエータには、カム部と操作部とが設けられていて、カム部において複数のコンタクトの夫々と係合し、操作部が操作されることにより、アクチュエータの全体が絶縁ハウジングに対して回動せしめられる。
【０００５】
複数のコンタクトの各々は、導電性の弾性材料で形成され、絶縁ハウジングに固定される部分であるビーム状の固定部と連結部により固定部に連結されて変位可能とされた部分であるビーム状の可動部とを有するものとされる。そして、固定部は、絶縁ハウジングが配された主配線基板における配線部に電気的に接続され、また、可動部は、配線板状部材に設けられた接続端子部に押圧接触する接触部が設けられたもとで、アクチュエータのカム部によって変位せしめられる。
【０００６】
このようなコネクタ装置にあっては、主配線基板に配された絶縁ハウジングに差込み部を通じて配線板状部材が差し込まれたもとで、アクチュエータが所定の方向に回動せしめられると、アクチュエータが、複数のコンタクトの夫々における可動部を変位させて、当該可動部の接触部に配線板状部材に設けられた複数の接続端子部のうちの対応するものに対する押圧接触状態をとらせる。また、複数のコンタクトの各々における可動部の接触部が配線板状部材に設けられた複数の接続端子部のうちの対応するものに押圧接触する状態をとるもとで、アクチュエータが上述の所定の方向とは逆の方向に回動せしめられると、アクチュエータが、複数のコンタクトの夫々における可動部を変位させて、当該可動部の接触部を配線板状部材に設けられた複数の接続端子部のうちの対応するものに対する押圧接触状態から解放する（例えば、特許文献１参照。）。
【０００７】
特許文献１に示されるようなコネクタ装置が用いられるときには、例えば、フレキシブル印刷配線基板とされる配線板状部材が、主配線基板に配された絶縁ハウジング内に差込み部を通じて差し込まれたもとで、絶縁ハウジング内に配された複数のコンタクトが、絶縁ハウジング内に差し込まれた配線板状部材における複数の接続端子部に夫々押圧接触するものとされ、それにより、配線板状部材が主配線基板との電気的接続状態におかれる。その際、複数のコンタクトが絶縁ハウジング内に差し込まれた配線板状部材における複数の接続端子部に夫々押圧接触する状態が適正に維持されるためには、絶縁ハウジング内に差込み部を通じて差し込まれた配線板状部材が、その状態を安定に維持することができ、絶縁ハウジングから不所望に離脱するような事態をまねかないものとされることが必要とされる。
【０００８】
そのため、上述の特許文献１に示されるようなコネクタ装置と同類のものであって、絶縁ハウジング内に差込み部を通じて差し込まれた配線板状部材に係合して、当該配線板状部材の絶縁ハウジングからの不所望な離脱を阻止する係止部材を備えたコネクタ装置が従来提案されている（例えば、特許文献２もしくは特許文献３参照。）。
【０００９】
特許文献２に示されるコネクタ装置にあっては、絶縁ハウジング（ハウジング）内に差込み部（嵌合口）を通じて配線板状部材（ＦＰＣ）が差し込まれたもとで、アクチュエータ（スライダー）の回動に応じて配線板状部材に設けられた複数の接続端子部（接触部）に対する押圧接触状態をとる、配列配置された複数のコンタクトの夫々が、絶縁ハウジングに固定されたビーム状の固定部に連結部（弾性部）を介して連結されたビーム状の可動部が、アクチュエータの回動時に、その一部（押受部）が、アクチュエータに設けられたカム部（押圧部）によって、配線板状部材の板面に直交する方向において固定部から離隔する向きに変位せしめられることにより、その一端部（接触部）が、配線板状部材の板面に直交する方向において固定部に近接する向きに変位して、絶縁ハウジング内に差し込まれた配線板状部材に設けられた複数の接続端子部のうちの対応するものに押圧接触するものとされる。そして、配列配置された複数のコンタクトをそれらの配列方向において挟んで相互対向する一対のロック部材が、絶縁ハウジング内に差し込まれた配線板状部材に係合して当該配線板状部材の絶縁ハウジングからの不所望な離脱を阻止する係止部材を成すものとして備えられている。
【００１０】
斯かる一対のロック部材の夫々は、複数のコンタクトの夫々と略同形に形成されていて複数のコンタクトに連なって配置されており、コンタクトと同様に、絶縁ハウジングに固定されるビーム状の固定部と連結部（弾性部）により固定部に連結されたビーム状の可動部とを有するものとされている。但し、可動部の一端部には、配線板状部材に設けられた切欠き部（係止部）に係合するための係合部が設けられている。
【００１１】
そして、各ロック部材は、絶縁ハウジングに固定された固定部に連結部を介して連結された可動部が、アクチュエータが、複数のコンタクトに絶縁ハウジング内に差し込まれた配線板状部材に設けられた複数の接続端子部に対する押圧接触状態をとらせるべく回動するとき、その一部が、アクチュエータに設けられたカム部によって、配線板状部材の板面に直交する方向において固定部から離隔する向きに変位せしめられることにより、その一端部に設けられた係合部が、配線板状部材の板面に直交する方向において固定部に近接する向きに変位して、絶縁ハウジング内に差し込まれた配線板状部材における切欠き部に係合するものとされる。それにより、アクチュエータが複数のコンタクトに絶縁ハウジング内に差し込まれた配線板状部材に設けられた複数の接続端子部に対する押圧接触状態をとらせる位置をとるとき、一対のロック部材が、絶縁ハウジング内に差し込まれた配線板状部材に係合して当該配線板状部材の絶縁ハウジングからの不所望な離脱を阻止する係止部材としての役割を果たす。
【００１２】
また、特許文献３に示されるコネクタ装置にあっては、絶縁ハウジング（ハウジング）内に差込み部（ＦＰＣ受容空間）を通じて配線板状部材（ＦＰＣ）が差し込まれたもとで、アクチュエータの回動に応じて配線板状部材に設けられた接続端子部に対する押圧接触状態をとる、配列配置された複数のコンタクトの夫々が、絶縁ハウジングに固定されたビーム状の固定部（第２ビーム）に連結部（ばね片）を介して連結されたビーム状の可動部（第１ビーム）が、アクチュエータの回動時に、その一部（力点部）が、アクチュエータに設けられたカム部によって、配線板状部材の板面に直交する方向において固定部から離隔する向きに変位せしめられることにより、その一端部（接点）が、配線板状部材の板面に直交する方向において固定部に近接する向きに変位して、絶縁ハウジング内に差し込まれた配線板状部材に設けられた接続端子部のうちの対応するものに押圧接触するものとされる。そして、絶縁ハウジングにおける複数のコンタクトの配列方向の両端部に、一対のロック部材（シーソー形のランス（ロック部））が、絶縁ハウジング内に差し込まれた配線板状部材に係合して当該配線板状部材の絶縁ハウジングからの不所望な離脱を阻止する係止部材を成すものとして備えられている。
【００１３】
斯かる一対のロック部材の夫々は、全体がビーム状を成し、その中央部分が連結部（ばね片）によって、絶縁ハウジングに固定される固定部（底板）に連結されている。そして、各ロック部材は、アクチュエータが、複数のコンタクトに絶縁ハウジング内に差し込まれた配線板状部材に設けられた接続端子部に対する押圧接触状態をとらせるべく回動するとき、その一部（ロック力点部）が、アクチュエータに設けられたカム部によって、配線板状部材の板面に直交する方向において固定部から離隔する向きに変位せしめられることにより、その一端部に設けられた係合部（爪部）が、配線板状部材の板面に直交する方向において固定部に近接する向きに変位して、絶縁ハウジング内に差し込まれた配線板状部材における切欠き部（切欠）に係合するものとされる。それにより、アクチュエータが複数のコンタクトに絶縁ハウジング内に差し込まれた配線板状部材に設けられた接続端子部に対する押圧接触状態をとらせる位置をとるとき、一対のロック部材が、絶縁ハウジング内に差し込まれた配線板状部材に係合して当該配線板状部材の絶縁ハウジングからの不所望な離脱を阻止する係止部材としての役割を果たす。
【００１４】
【特許文献１】特開２００２−２７０２９０号公報  （段落００１８〜００３０、図１〜７）
【特許文献２】特開２００４−２２１０６７号公報  （段落００１５〜００１８、図１, ２, ４, ７）
【特許文献３】特開２００８−５２９９２号公報  （段落００１９〜００４４、図４, １４〜１８）
【発明の開示】
【発明が解決しようとする課題】
【００１５】
上述のような、フレキシブル印刷配線基板等の配線板状部材の主配線基板への取付けに用いられるコネクタ装置であって、絶縁ハウジング内に差し込まれた配線板状部材の絶縁ハウジングからの不所望な離脱を阻止する係止部材を成すロック部材を備えたもの、として従来提案されているコネクタ装置にあっては、ロック部材が、絶縁ハウジングに固定される固定部に連結部を介して連結されて揺動可能とされたビーム状部分の一端部に設けられた係合部を有するものとされ、絶縁ハウジング内に差し込まれた配線板状部材についての絶縁ハウジングからの不所望な離脱を阻止するためのロック部材による係止が、ロック部材に設けられた係合部が、絶縁ハウジング内に差し込まれた配線板状部材の板面に直交する方向に変位して、当該配線板状部材における切欠き部に係合することにより行われる。
【００１６】
それにより、ロック部材に設けられた係合部は、絶縁ハウジング内に差し込まれた配線板状部材における切欠き部に、当該配線板状部材の厚み方向において係合することになり、ロック部材に設けられた係合部の配線板状部材における切欠き部との係合の深さは、配線板状部材の厚みに対応するものとされる。このようなもとで、例えば、配線板状部材がフレキシブル印刷配線基板である場合、通常、配線板状部材の厚みは、０．１〜０．３ｍｍ程度の極めて薄いものとされるので、斯かる際には、ロック部材に設けられた係合部の配線板状部材における切欠き部との係合が、極めて短い係合長をもった浅いものとされる。その結果、ロック部材あるいは配線板状部材のわずかな変位あるいは変形が生じても、配線板状部材における切欠き部に係合したロック部材に設けられた係合部が、その切欠き部から外れてしまう（切欠き部に対する係合を解除する）ことになり、絶縁ハウジング内に差し込まれた配線板状部材についての絶縁ハウジングからの不所望な離脱を阻止するためのロック部材による係止が安定に行われないという不都合が生じる虞がある。
【００１７】
また、ロック部材が、絶縁ハウジングに固定される固定部に連結部を介して連結されて揺動可能とされたビーム状部分の一端部に設けられた係合部を有し、その係合部の絶縁ハウジング内に差し込まれた配線板状部材における切欠き部に対する係合及び係合解除が、固定部に連結部を介して連結されたビーム状部分の揺動により行われるので、ビーム状部分及びその周辺の不所望な塑性変形が生じ易いものとされる。そのため、斯かる不所望な塑性変形を生じ難くするためには、ロック部材を形成する板材の厚みを増大させること、ビーム状部分の長さを増大させること等が要されるが、これらのことはロック部材を大型化させることになって、それによりコネクタ装置の小型化や低背化に支障がきたされるという問題が生じる。
【００１８】
斯かる点に鑑み、本願の特許請求の範囲に記載された発明は、例えば、フレキシブル印刷配線基板等とされる配線板状部材の主配線基板への取付けに用いられる、板状部材差込み部が設けられた絶縁ハウジングと、絶縁ハウジング内に配列配置されて設けられる複数のコンタクトと、回動可能に配されて複数のコンタクトの夫々に係合し、回動操作されて、複数のコンタクトの夫々に板状部材差込み部を通じて絶縁ハウジング内に差し込まれた配線板状部材における接続端子部に対する押圧接触状態をとらせる位置と、複数のコンタクトの夫々を上述の押圧接触状態から解放する位置とを選択的にとるアクチュエータと、を備えたコネクタ装置であって、絶縁ハウジング内に板状部材差込み部を通じて差し込まれた配線板状部材についての絶縁ハウジングからの不所望な離脱を阻止するための係止を、全体の小型化や低背化に支障をきたすことなく、安定に行なうことができることになるものを提供する。
【課題を解決するための手段】
【００１９】
本願の特許請求の範囲における請求項１から請求項９までのいずれかに記載された発明（以下、本発明という。）に係るコネクタ装置は、板状部材差込み部が設けられた絶縁ハウジングと、絶縁ハウジング内に配列配置され、板状部材差込み部を通じて絶縁ハウジング内に差し込まれた配線板状部材における複数の接続端子部に夫々対応する位置をとるものとされる複数のコンタクトと、絶縁ハウジングに対して回動可能に設けられて複数のコンタクトに係合し、配線板状部材が板状部材差込み部を通じて絶縁ハウジング内に差し込まれたもとで、第１の静止位置から第２の静止位置に移行せしめられるとき、複数のコンタクトの夫々に複数の接続端子部のうちの対応するものに対する押圧接触状態をとらせ、第２の静止位置から第１の静止位置に移行せしめられるとき、複数のコンタクトの夫々を複数の接続端子部のうちの対応するものに対する押圧接触状態から解放するアクチュエータと、絶縁ハウジングにおける複数のコンタクトの配列方向の側端部に配され、絶縁ハウジング内に差し込まれた配線板状部材の側端縁部に設けられた切欠き係合部に係合してその配線板状部材を係止する状態をとる係止部材とを備えて成り、係止部材が、弾性材により形成されて、絶縁ハウジングにおける側端部を構成する部材に固定される固定部と固定部に連結された突出係合部とを有し、配線板状部材が絶縁ハウジング内に差し込まれたもとでアクチュエータが第２の静止位置におかれるとき、アクチュエータに設けられた突起部が係止部材に係合することにより、突出係合部が、絶縁ハウジング内に差し込まれた配線板状部材の板面に平行な方向に弾性変位せしめられて、配線板状部材の側端縁部に設けられた切欠き係合部に係合するものとされる。
【００２０】
係止部材は、例えば、絶縁ハウジングにおける複数のコンタクトの配列方向において相互対向する一対の側端部の夫々に配され、その際には、アクチュエータが、絶縁ハウジングにおける板状部材差込み部が設けられた一端縁部に対向する他端縁部側に配された仮想回動軸部を成す一端部とそれに対向する自由端部を成す他端部とを有し、第１の静止位置から第２の静止位置に移行せしめられるとき、他端部が絶縁ハウジングの一端縁部側に向かう方向もしくは絶縁ハウジングの一端縁部側から遠ざかる方向に回動を行い、他端部側の複数のコンタクトの配列方向において相互対向する一対の側端部分の夫々における回動に際して絶縁ハウジング内に臨む面に、もしくは、一端部の複数のコンタクトの配列方向において相互対向する一対の側端部分の夫々に、突起部が設けられるものとされる。
【００２１】
また、係止部材は、例えば、固定部及び突出係合部に加えて、固定部から折り返して伸びる可動折返部、もしくは、固定部から折り返して伸びる可動折返部及びそれからさらに折り返して伸びる付加可動折返部を有し、突出係合部が可動折返部もしくは付加可動折返部から屈曲して突出するものとされ、配線板状部材が絶縁ハウジング内に差し込まれたもとでアクチュエータが第２の静止位置におかれるとき、アクチュエータに設けられた突起部が、固定部と可動折返部との間もしくは可動折返部と付加可動折返部との間に差し込まれ、可動折返部もしくは付加可動折返部が突出係合部を伴って絶縁ハウジング内に差し込まれた配線板状部材の板面に平行な方向に弾性変位せしめられて、突出係合部が配線板状部材の側端縁部に設けられた切欠き係合部に係合する状態がとられる。
【００２２】
上述のように構成される本発明に係るコネクタ装置は、その絶縁ハウジングが、板状部材差込み部が設けられた端縁部とそれに対向する反対側の端縁部とを有したものとされるが、以下においては、絶縁ハウジングにおける板状部材差込み部が設けられた端縁部を正面側端縁部といい、絶縁ハウジングにおける正面側端縁部に対向する反対側の端縁部を背面側端縁部という。
【００２３】
本発明に係るコネクタ装置にあっては、アクチュエータが第１の静止位置から第２の静止位置へと移行せしめられるべく回動操作される際には、例えば、アクチュエータの全体が、絶縁ハウジングに対して立ち上がった状態から絶縁ハウジングに対して伏した状態へと移行する。また、アクチュエータが第２の静止位置から第１の静止位置へと移行せしめられるべく回動操作される際には、例えば、アクチュエータの全体が、絶縁ハウジングに対して伏した状態から絶縁ハウジングに対して立ち上がった状態へと移行する。
【００２４】
このようなもとで、絶縁ハウジングに板状部材差込み部を通じて配線板状部材が差し込まれ、アクチュエータが、複数のコンタクトの夫々に配線板状部材における複数の接続端子部のうちの対応するものに対する押圧接触状態をとらせる第２の静止位置におかれるときには、当該アクチュエータの全体が絶縁ハウジングに対して伏した状態をとる。
【００２５】
そして、弾性材により形成されて、絶縁ハウジングにおける側端部に固定される固定部と固定部に連結された突出係合部とを有した係止部材は、配線板状部材が絶縁ハウジング内に差し込まれたもとでアクチュエータが第２の静止位置におかれるとき、例えば、その全体が絶縁ハウジングに対して伏した状態をとるアクチュエータに設けられた突起部が係合し、それにより、突出係合部が絶縁ハウジング内に差し込まれた配線板状部材の板面に平行な方向に弾性変位せしめられるものとされる。その際、絶縁ハウジング内に差し込まれた配線板状部材の板面に平行な方向に弾性変位せしめられる突出係合部は、絶縁ハウジング内に差し込まれた配線板状部材の側端縁部に設けられた切欠き係合部に係合する。それにより、係止部材が、絶縁ハウジング内に差し込まれた配線板状部材を絶縁ハウジングからの不所望な離脱を阻止すべく係止することになる。
【００２６】
その後、複数のコンタクトの夫々を複数の接続端子部のうちの対応するものに対する押圧接触状態から解放すべく、アクチュエータが第２の静止位置から第１の静止位置へと移行せしめられるべく回動操作されると、アクチュエータに設けられた突起部が係止部材との係合を解除し、係止部材が具える弾性により突出係合部が元に戻る。それにより、突出係合部が、絶縁ハウジング内に差し込まれた配線板状部材の側端縁部に設けられた切欠き係合部から外れて、係止部材が、絶縁ハウジング内に差し込まれた配線板状部材についての係止状態を解除する。
【００２７】
また、係止部材が、固定部及び突出係合部に加えて、固定部から折り返して伸びる可動折返部、もしくは、固定部から折り返して伸びる可動折返部及びそれからさらに折り返して伸びる付加可動折返部を有し、突出係合部が可動折返部もしくは付加可動折返部から屈曲して突出するものとされる場合には、当該係止部材は、配線板状部材が絶縁ハウジング内に差し込まれたもとでアクチュエータが第２の静止位置におかれるとき、例えば、その全体が絶縁ハウジングに対して伏した状態をとるアクチュエータに設けられた突起部が、固定部と可動折返部との間もしくは可動折返部と付加可動折返部との間に差し込まれて、可動折返部もしくは付加可動折返部が絶縁ハウジング内に差し込まれた配線板状部材の板面に平行な方向に弾性変位せしめられるものとされる。斯かる可動折返部もしくは付加可動折返部の配線板状部材の板面に平行な方向への弾性変位に伴って、突出係合部も配線板状部材の板面に平行な方向に変位し、その突出係合部が、絶縁ハウジング内に差し込まれた配線板状部材の側端縁部に設けられた切欠き係合部に係合する。それにより、係止部材が、絶縁ハウジング内に差し込まれた配線板状部材を絶縁ハウジングからの不所望な離脱を阻止すべく係止することになる。
【００２８】
そして、その後、複数のコンタクトの夫々を複数の接続端子部のうちの対応するものに対する押圧接触状態から解放すべく、アクチュエータが第２の静止位置から第１の静止位置へと移行せしめられるべく回動操作されると、アクチュエータに設けられた突起部が係止部材の固定部と可動折返部との間もしくは可動折返部と付加可動折返部との間から抜き出され、係止部材が具える弾性により、可動折返部もしくは付加可動折返部が、それから屈曲して伸びる突出係合部を伴って弾性変位し、元に戻る。それに伴い、突出係合部が、絶縁ハウジング内に差し込まれた配線板状部材の側端縁部に設けられた切欠き係合部から外れて、係止部材が、絶縁ハウジング内に差し込まれた配線板状部材についての係止状態を解除する。
【発明の効果】
【００２９】
本発明に係るコネクタ装置においては、上述のように、弾性材により形成された係止部材による、絶縁ハウジング内に差し込まれた配線板状部材についての絶縁ハウジングからの不所望な離脱を阻止するための係止が、アクチュエータに設けられた突起部が係止部材に係合することにより、突出係合部が、絶縁ハウジング内に差し込まれた配線板状部材の板面に平行な方向に弾性変位せしめられて、絶縁ハウジング内に差し込まれた配線板状部材の側端縁部に設けられた切欠き係合部に係合することにより行われる。
【００３０】
このように、係止部材が有する突出係合部が、絶縁ハウジング内に差し込まれた配線板状部材の側端縁部に設けられた切欠き係合部に、当該配線板状部材の板面に平行な方向において係合し、また、配線板状部材の板厚より大なる所定の幅を有し得るものとされるので、突出係合部の配線板状部材における切欠き係合部との係合が十分な係合長をもって行われ、突出係合部あるいは配線板状部材の配線板状部材の板面に直交する方向等における変位あるいは変形が生じても、配線板状部材における切欠き係合部に係合した突出係合部が、その切欠き係合部から不所望に外れてしまう事態が回避される。従って、係止部材が、絶縁ハウジング内に差し込まれた配線板状部材を、絶縁ハウジングからの不所望な離脱を阻止すべく安定に係止することになる。
【００３１】
そして、係止部材における固定部と突出係合部との連結は、例えば、固定部から折り返して伸びる可動折返部、もしくは、固定部から折り返して伸びる可動折返部及びそれからさらに折り返して伸びる付加可動折返部が設けられ、突出係合部が可動折返部もしくは付加可動折返部から屈曲して突出するものとされてなされる。そして、突出係合部の絶縁ハウジング内に差し込まれた配線板状部材の板面に平行な方向における弾性変位は、可動折返部もしくは付加可動折返部が絶縁ハウジング内に差し込まれた配線板状部材の板面に平行な方向に弾性変位することによりもたらされる。
【００３２】
斯かるもとでは、弾性変位する可動折返部もしくは付加可動折返部が、絶縁ハウジングにおける側端部に固定される固定部から折り返して伸びるもの、もしくは、絶縁ハウジングにおける側端部に固定される固定部から折り返して伸びる可動折返部からさらに折り返して伸びるものとされるので、可動折返部もしくは付加可動折返部の弾性変位が繰り返されても不所望な塑性変形が生じ難いことになる。従って、不所望な塑性変形を生じ難くすべく、係止部材を形成する弾性材の厚みを増大させること、可動折返部もしくは付加可動折返部の長さを増大させること等が不要とされて、係止部材を大型化させることがなく、コネクタ装置の小型化や低背化に支障をきたさないという利点が得られる。
【００３３】
このように、本発明に係るコネクタ装置によれば、絶縁ハウジング内に板状部材差込み部を通じて差し込まれた配線板状部材についての絶縁ハウジングからの不所望な離脱を阻止するための係止を、全体の小型化や低背化に支障をきたすことなく、安定に行なうことができることになる。
【発明を実施するための最良の形態】
【００３４】
本発明を実施するための最良の形態は、以下に述べられる本発明についての実施例１，実施例２及び実施例３をもって説明される。
【実施例１】
【００３５】
図１及び図２は、本発明に係るコネクタ装置の一例を示す。
【００３６】
図１及び図２において、本発明に係るコネクタ装置の一例を成すコネクタ装置１０は、合成樹脂等の絶縁材料によって形成された絶縁ハウジング１１を備えており、絶縁ハウジング１１には、その正面側端縁部に板状部材差込み部１２が設けられている。絶縁ハウジング１１は、例えば、図示されていない主配線基板に配され、それにより、コネクタ装置１０の全体が主配線基板に取り付けられたものとされる。そして、板状部材差込み部１２を通じて、例えば、後述されるフレキシブル印刷配線基板が、配線板状部材を成すものとして絶縁ハウジング１１の内部に差し込まれる。
【００３７】
絶縁ハウジング１１には、その内部に、各々が弾性導電材料で形成された第１の複数のコンタクト１３及び第２の複数のコンタクト１４が、交互に配列配置されて設けられている。第１の複数のコンタクト１３は、絶縁ハウジング１１の内部に、例えば、正面側端縁部側から押圧挿入されたものとされ、また、第２の複数のコンタクト１４は、絶縁ハウジング１１の内部に、例えば、背面側端縁部側から押圧挿入されたものとされる。
【００３８】
また、絶縁ハウジング１１における背面側端縁部側には、第１及び第２の複数のコンタクト１３及び１４の配列方向に沿って伸びるアクチュエータ１５が、第１及び第２の複数のコンタクト１３及び１４により支持されて、絶縁ハウジング１１に対して回動可能に配されている。アクチュエータ１５は、図１に示されるような、絶縁ハウジング１１に対して起き上がった状態をとるものとされる位置を、第１の静止位置としてとることができ、また、図２に示されるような、絶縁ハウジング１１に対して伏した状態をとるものとされる位置を、第２の静止位置としてとることができて、絶縁ハウジング１１に対して回動せしめられることにより、第１の静止位置から第２の静止位置への移行、あるいは、第２の静止位置から第１の静止位置への移行を行うものとされている。
【００３９】
そして、アクチュエータ１５は、絶縁ハウジング１１における背面側端縁部側に配された仮想回動軸部を成す一端部とそれに対向する自由端部１６を成す他端部とを有しており、第１の静止位置から第２の静止位置に移行せしめられるとき、自由端部１６を成す他端部が、絶縁ハウジング１１における背面側端縁部側から正面側端縁部側に向かう方向の回動を行うものとされる。このようなアクチュエータ１５には、自由端部１６を成す他端部側の第１及び第２の複数のコンタクト１３及び１４の配列方向において相互対向する一対の側端部分の夫々における、絶縁ハウジング１１における背面側端縁部側から正面側端縁部側に向かう方向の回動に際して絶縁ハウジング１１内に臨む面に、円柱状の突起部１７が設けられている。これらの一対の突起部１７の夫々は、図２に示されるようにアクチュエータ１５が第２の静止位置をとるもとにあっては、絶縁ハウジング１１内に位置するものとされて絶縁ハウジング１１の外部からは見えない。
【００４０】
絶縁ハウジング１１内に配列配置されて設けられる第１及び第２の複数のコンタクト１３及び１４の夫々は、弾性導電材料で形成されていて、絶縁ハウジング１１に固定される固定部と、固定部に対して変位可能とされた可動部と、固定部の中間部分と可動部の中間部分とを連結する連結部とを有した、全体としてエ字状を成す板状部材とされている。そして、絶縁ハウジング１１に対して回動可能に配されたアクチュエータ１５には、絶縁ハウジング１１における背面側端縁部側に配された仮想回動軸部を成す一端部に、複数のカム部が設けられており、これらの複数のカム部が、第１及び第２の複数のコンタクト１３及び１４に、それらの各々における固定部の一端部分と可動部の一端部分とにより挟まれて、夫々係合するものとされている。このように、複数のカム部が、第１及び第２の複数のコンタクト１３及び１４に、それらの各々における固定部の一端部分と可動部の一端部分とにより挟まれて、夫々係合していることにより、アクチュエータ１５についての、第１及び第２の複数のコンタクト１３及び１４により支持されて、絶縁ハウジング１１に対して回動可能に配される状態が得られている。
【００４１】
アクチュエータ１５が第１の静止位置におかれるもとにおいては、アクチュエータ１５に設けられた複数のカム部の夫々が、第１及び第２の複数のコンタクト１３及び１４のうちの対応するものにおける可動部に、可動部の他端部と固定部の他端部とが絶縁ハウジング１１に設けられた板状部材差込み部１２側において形成する相互間隔が、板状部材差込み部１２を通じて絶縁ハウジング１１の内部に差し込まれる配線板状部材を成すフレキシブル印刷配線基板の板厚より大である比較的大なるものとされる位置を維持させる。
【００４２】
図３は、図１及び図２に示されるコネクタ装置１０を、その第１及び第２の複数のコンタクト１３及び１４の配列方向における一端部（図３における右端部）を破断した状態をもって示し、さらに、絶縁ハウジング１１に設けられた板状部材差込み部１２を通じて絶縁ハウジング１１内に差し込まれる配線板状部材を成すフレキシブル印刷配線基板２０を示す。フレキシブル印刷配線基板２０には、第１の複数の接続端子部２１と第２の複数の接続端子部２２とが配列配置されているとともに、第１及び第２の複数の接続端子部２１及び２２の配列方向の両側端縁部に、一対の切欠き係合部２３及び２４が夫々設けられている。
【００４３】
図３に示されるコネクタ装置１０にあっては、その図３における右端部において、絶縁ハウジング１１における第１及び第２の複数のコンタクト１３及び１４の配列方向の一側端部である図３において右方とされる側端部（以下、右側端部という。）に、板状部材差込み部１２を通じて絶縁ハウジング１１内に差し込まれたフレキシブル印刷配線基板２０における側端縁部に設けられた切欠き係合部２３に係合して、フレキシブル印刷配線基板２０を係止する係止部材３０が配されている。また、図３に示されるコネクタ装置１０にあっては、その第１及び第２の複数のコンタクト１３及び１４の配列方向における他端部（図３における左端部）において、絶縁ハウジング１１における第１及び第２の複数のコンタクト１３及び１４の配列方向の他側端部である図３において左方とされる側端部（以下、左側端部という。）にも、板状部材差込み部１２を通じて絶縁ハウジング１１内に差し込まれたフレキシブル印刷配線基板２０における側端縁部に設けられた切欠き係合部２４に係合して、フレキシブル印刷配線基板２０を係止する係止部材３１が配されている。
【００４４】
絶縁ハウジング１１における右側端部に配された係止部材３０は、例えば、金属材や合成樹脂材等とされる弾性材により形成されて、図３に示されるように、絶縁ハウジング１１における右側端部を構成する板状部材２５に固定される固定部３２と、固定部３２からＵ字状部３３を介して折り返して伸びる可動折返部３４と、可動折返部３４から屈曲して突出する突出係合部３５とを有している。このようなもとで、Ｕ字状部３３は、固定部３２と可動折返部３４とを連結する役割を果たしている。
【００４５】
また、絶縁ハウジング１１における左側端部に配された係止部材３１も、係止部材３０と同様に、弾性材により形成されて、絶縁ハウジング１１における左側端部を構成する板状部材２６に固定される固定部３６と、固定部３６からＵ字状部３７を介して折り返して伸びる可動折返部３８と、可動折返部３８から屈曲して突出する突出係合部３９（図に現れていない）とを有している。このようなもとで、Ｕ字状部３７は、固定部３６と可動折返部３８とを連結する役割を果たしている。
【００４６】
そして、係止部材３０は、図３における破線矩形枠i 内を拡大図示する図４に示されるように、アクチュエータ１５が第１の静止位置をとるもとで、フレキシブル印刷配線基板２０が絶縁ハウジング１１内に差し込まれ、その後、図３における破線矩形枠i 内に対応する部分を拡大図示する図５に示されるように、アクチュエータ１５が、第１の静止位置から第２の静止位置へと移行して、第２の静止位置におかれるとき、アクチュエータ１５における自由端部１６を成す他端部側の面に設けられた突起部１７が、固定部３２と可動折返部３４との間に差し込まれて、可動折返部３４が、絶縁ハウジング１１内に差し込まれたフレキシブル印刷配線基板２０の板面に平行な方向に弾性変位せしめられるものとされる。斯かる可動折返部３４のフレキシブル印刷配線基板２０の板面に平行な方向への弾性変位に伴って、突出係合部３５もフレキシブル印刷配線基板２０の板面に平行な方向に変位し、その突出係合部３５が、図５に示されるように、絶縁ハウジング１１内に差し込まれたフレキシブル印刷配線基板２０の側端縁部に設けられた切欠き係合部２３に係合する。それにより、係止部材３０が、絶縁ハウジング１１内に差し込まれたフレキシブル印刷配線基板２０を絶縁ハウジング１１からの不所望な離脱を阻止すべく係止することになる。
【００４７】
同様に、係止部材３１も、アクチュエータ１５が第１の静止位置をとるもとで、フレキシブル印刷配線基板２０が絶縁ハウジング１１内に差し込まれ、その後、アクチュエータ１５が、第１の静止位置から第２の静止位置へと移行して、第２の静止位置におかれるとき、アクチュエータ１５における自由端部１６を成す他端部側の面に設けられた突起部１７が、固定部３６と可動折返部３８との間に差し込まれて、可動折返部３８が、絶縁ハウジング１１内に差し込まれたフレキシブル印刷配線基板２０の板面に平行な方向に弾性変位せしめられるものとされる。斯かる可動折返部３８のフレキシブル印刷配線基板２０の板面に平行な方向への弾性変位に伴って、突出係合部３９もフレキシブル印刷配線基板２０の板面に平行な方向に変位し、その突出係合部３９が、絶縁ハウジング１１内に差し込まれたフレキシブル印刷配線基板２０の側端縁部に設けられた切欠き係合部２４に係合する。それにより、係止部材３１が、絶縁ハウジング１１内に差し込まれたフレキシブル印刷配線基板２０を絶縁ハウジング１１からの不所望な離脱を阻止すべく係止することになる。
【００４８】
図６は、係止部材３０の変形例の一つを成す係止部材３０’が用いられた場合における、図１及び図２に示されるコネクタ装置１０の図３に示される破線矩形枠i 内の部分を示す。図６に示される係止部材３０’は、弾性材により形成されて、絶縁ハウジング１１における右側端部を構成する板状部材２５に固定される固定部３２と、固定部３２からＵ字状部３３を介して折り返して伸びる可動折返部３４と、可動折返部３４からさらに折り返して伸びる付加可動折返部３４Ａを介して屈曲して突出する突出係合部３５とを有している。斯かるもとにあっても、Ｕ字状部３３は、固定部３２と可動折返部３４とを連結する役割を果たしている。
【００４９】
また、このような係止部材３０’が用いられる場合には、図１及び図２に示されるコネクタ装置１０の絶縁ハウジング１１における左側端部に、係止部材３０’と同様な係止部材３１の変形例の一つを成す係止部材３１' が配される（図示省略）。この係止部材３１' も、弾性材により形成されて、図示は省略されるが、絶縁ハウジング１１における左側端部を構成する板状部材２６に固定される固定部３６と、固定部３６からＵ字状部３７を介して折り返して伸びる可動折返部３８と、可動折返部３８からさらに折り返して伸びる付加可動折返部３８Ａを介して屈曲して突出する突出係合部３９とを有したものとされる。斯かるもとにあっても、Ｕ字状部３７は、固定部３６と可動折返部３８とを連結する役割を果たす。
【００５０】
さらに、係止部材３０’及び係止部材３１' が用いられる場合には、図１及び図２に示されるコネクタ装置１０のアクチュエータ１５が、それにおける自由端部１６を成す他端部側の面に、後述される図７に示される突起部１７の変形例の一つを成す突起部１７’が設けられたものとされる。
【００５１】
係止部材３０’は、図６に示されるように、アクチュエータ１５が第１の静止位置をとるもとで、フレキシブル印刷配線基板２０が絶縁ハウジング１１内に差し込まれ、その後、図７に示されるように、アクチュエータ１５が、第１の静止位置から第２の静止位置へと移行して、第２の静止位置におかれるとき、アクチュエータ１５における自由端部１６を成す他端部側の面に設けられた突起部１７’が、可動折返部３４と付加可動折返部３４Ａとの間に差し込まれて、付加可動折返部３４Ａが、可動折返部３４から遠ざかる向きをもって、絶縁ハウジング１１内に差し込まれたフレキシブル印刷配線基板２０の板面に平行な方向に弾性変位せしめられるものとされる。斯かる付加可動折返部３４Ａのフレキシブル印刷配線基板２０の板面に平行な方向への弾性変位に伴って、突出係合部３５もフレキシブル印刷配線基板２０の板面に平行な方向に変位し、その突出係合部３５が、図７に示されるように、絶縁ハウジング１１内に差し込まれたフレキシブル印刷配線基板２０の側端縁部に設けられた切欠き係合部２３に係合する。それにより、係止部材３０’が、絶縁ハウジング１１内に差し込まれたフレキシブル印刷配線基板２０を絶縁ハウジング１１からの不所望な離脱を阻止すべく係止することになる。
【００５２】
同様に、係止部材３１’も、アクチュエータ１５が第１の静止位置をとるもとで、フレキシブル印刷配線基板２０が絶縁ハウジング１１内に差し込まれ、その後、アクチュエータ１５が、第１の静止位置から第２の静止位置へと移行して、第２の静止位置におかれるとき、アクチュエータ１５における自由端部１６を成す他端部側の面に設けられた突起部１７’が、可動折返部３８と付加可動折返部３８Ａとの間に差し込まれて、付加可動折返部３８Ａが、可動折返部３８から遠ざかる向きをもって、絶縁ハウジング１１内に差し込まれたフレキシブル印刷配線基板２０の板面に平行な方向に弾性変位せしめられるものとされる。斯かる付加可動折返部３８Ａのフレキシブル印刷配線基板２０の板面に平行な方向への弾性変位に伴って、突出係合部３９もフレキシブル印刷配線基板２０の板面に平行な方向に変位し、その突出係合部３９が、絶縁ハウジング１１内に差し込まれたフレキシブル印刷配線基板２０の側端縁部に設けられた切欠き係合部２４に係合する。それにより、係止部材３１’が、絶縁ハウジング１１内に差し込まれたフレキシブル印刷配線基板２０を絶縁ハウジング１１からの不所望な離脱を阻止すべく係止することになる。
【００５３】
上述のように、アクチュエータ１５が第１の静止位置をとるもとにおいて、フレキシブル印刷配線基板２０が絶縁ハウジング１１内に板状部材差込み部１２を通じて差し込まれるときには、絶縁ハウジング１１内に配列配置された第１及び第２の複数のコンタクト１３及び１４は、第１の複数のコンタクト１３が、絶縁ハウジング１１内に差し込まれたフレキシブル印刷配線基板２０に設けられた第１の複数の接続端子部２１に夫々対応する位置をとるものとなり、第２の複数のコンタクト１４が、絶縁ハウジング１１内に差し込まれたフレキシブル印刷配線基板２０に設けられた第２の複数の接続端子部２２に夫々対応する位置をとるものとなる。そして、その後、アクチュエータ１５が、第１の静止位置から第２の静止位置に移行すると、絶縁ハウジング１１内に配列配置された第１及び第２の複数のコンタクト１３及び１４が、絶縁ハウジング１１内に差し込まれたフレキシブル印刷配線基板２０に設けられた第１及び第２の複数の接続端子部２１及び２２に夫々押圧接触するものとされる。
【００５４】
斯かる際においては、アクチュエータ１５の第１の静止位置から第２の静止位置への移行に伴って、アクチュエータ１５に設けられた複数のカム部の夫々が、第１及び第２の複数のコンタクト１３及び１４のうちの対応するものにおける可動部を、可動部の他端部と固定部の他端部とが絶縁ハウジング１１に設けられた板状部材差込み部１２側において形成する相互間隔を狭めるように変位させ、可動部に、その他端部が絶縁ハウジング１１内に差し込まれたフレキシブル印刷配線基板２０における第１及び第２の複数の接続端子部２１及び２２のうちの対応するものに押圧接触する状態をとらせる。それにより、絶縁ハウジング１１内に差し込まれたフレキシブル印刷配線基板２０とコネクタ装置１０との電気的接続がなされる。
【００５５】
その後、第１及び第２の複数のコンタクト１３及び１４の夫々を、絶縁ハウジング１１内に差し込まれたフレキシブル印刷配線基板２０における第１及び第２の複数の接続端子部２１及び２２のうちの対応するものに対する押圧接触状態から解放すべく、アクチュエータ１５が第２の静止位置から第１の静止位置へと移行せしめられるべく回動操作されると、アクチュエータ１５における自由端部１６を成す他端部側の面に設けられた一対の突起部１７が、係止部材３０における固定部３２と可動折返部３４との間、及び、係止部材３１における固定部３６と可動折返部３８との間から夫々抜き出され、もしくは、アクチュエータ１５における自由端部１６を成す他端部側の面に設けられた一対の突起部１７’が、係止部材３０’における可動折返部３４と付加可動折返部３４Ａとの間、及び、係止部材３１’における可動折返部３８と付加可動折返部３８Ａとの間から夫々抜き出されて、係止部材３０が具える弾性により、係止部材３０の可動折返部３４が、それから屈曲して突出する突出係合部３５を伴って弾性変位して元に戻るとともに、係止部材３１が具える弾性により、係止部材３１の可動折返部３８が、それから屈曲して突出する突出係合部３９を伴って弾性変位して元に戻る状態、もしくは、係止部材３０’が具える弾性により、係止部材３０’の付加可動折返部３４Ａが、それから屈曲して突出する突出係合部３５を伴って弾性変位して元に戻るとともに、係止部材３１’が具える弾性により、係止部材３１’の付可動折返部３８Ａが、それから屈曲して突出する突出係合部３９を伴って弾性変位して元に戻る状態がとられる。
【００５６】
それに伴い、係止部材３０もしくは係止部材３０’の突出係合部３５が、絶縁ハウジング１１内に差し込まれたフレキシブル印刷配線基板２０の側端縁部に設けられた切欠き係合部２３から外れるとともに、係止部材３１もしくは係止部材３１’の突出係合部３９が、絶縁ハウジング１１内に差し込まれたフレキシブル印刷配線基板２０の側端縁部に設けられた切欠き係合部２４から外れて、係止部材３０及び３１もしくは係止部材３０’及び３１’が、絶縁ハウジング１１内に差し込まれたフレキシブル印刷配線基板２０についての係止状態を解除する。
【００５７】
上述のように、図１及び図２に示されるコネクタ装置１０にあっては、弾性材により形成された係止部材３０及び係止部材３１もしくは係止部材３０’及び係止部材３１’の夫々による、絶縁ハウジング１１内に差し込まれたフレキシブル印刷配線基板２０についての絶縁ハウジング１１からの不所望な離脱を阻止するための係止が、アクチュエータ１５における自由端部１６を成す他端部側の面に設けられた突起部１７が係止部材３０及び係止部材３１の夫々の固定部３２または３６と可動折返部３４または３８との間に差し込まれて、可動折返部３４または３８が絶縁ハウジング１１内に差し込まれたフレキシブル印刷配線基板２０の板面に平行な方向に弾性変位せしめられ、それに伴って、可動折返部３４または３８から屈曲して突出する突出係合部３５または３９が、フレキシブル印刷配線基板２０の板面に平行な方向に変位して、絶縁ハウジング１１内に差し込まれたフレキシブル印刷配線基板２０の側端縁部に設けられた切欠き係合部２３または２４に係合することにより、もしくは、アクチュエータ１５における自由端部１６を成す他端部側の面に設けられた突起部１７’が係止部材３０’及び係止部材３１’の夫々の可動折返部３４または３８と付加可動折返部３４Ａまたは３８Ａとの間に差し込まれて、付加可動折返部３４Ａまたは３８Ａが絶縁ハウジング１１内に差し込まれたフレキシブル印刷配線基板２０の板面に平行な方向に弾性変位せしめられ、それに伴って、付加可動折返部３４Ａまたは３８Ａから屈曲して突出する突出係合部３５または３９が、フレキシブル印刷配線基板２０の板面に平行な方向に変位して、絶縁ハウジング１１内に差し込まれたフレキシブル印刷配線基板２０の側端縁部に設けられた切欠き係合部２３または２４に係合することにより、行われる。
【００５８】
このように、弾性材により形成された係止部材３０及び係止部材３１の夫々は、弾性変位する可動折返部３４または３８が絶縁ハウジング１１における側端部に固定される固定部３２または３６から折り返して伸びるものとされるので、可動折返部３４または３８の弾性変位が繰り返されても不所望な塑性変形が生じ難いことになる。従って、不所望な塑性変形を生じ難くすべく、係止部材３０及び係止部材３１の夫々を形成する弾性材の厚みを増大させること、可動折返部３４または３８の長さを増大させること等が不要とされて、係止部材３０及び３１の夫々の大型化がまねかれず、コネクタ装置１０の小型化や低背化に支障をきたさないという利点が得られる。
【００５９】
また、可動折返部３４または３８から屈曲して突出する突出係合部３５または３９が、絶縁ハウジング１１内に差し込まれたフレキシブル印刷配線基板２０の側端縁部に設けられた切欠き係合部２３または２４に、当該フレキシブル印刷配線基板２０の板面に平行な方向において係合し、また、フレキシブル印刷配線基板２０の板厚より大なる所定の幅を有し得るものとされるので、突出係合部３５または３９のフレキシブル印刷配線基板２０における切欠き係合部２３または２４との係合が十分な係合長をもって行われる。それにより、可動折返部３４または３８あるいはフレキシブル印刷配線基板２０の、フレキシブル印刷配線基板２０の板面に直交する方向等における変位あるいは変形が生じても、フレキシブル印刷配線基板２０における切欠き係合部２３または２４に係合した突出係合部３５または３９が、その切欠き係合部２３または２４から不所望に外れてしまう事態が回避される。従って、係止部材３０及び係止部材３１の夫々が、絶縁ハウジング１１内に差し込まれたフレキシブル印刷配線基板２０を、絶縁ハウジング１１からの不所望な離脱を阻止すべく安定に係止することになる。
【００６０】
同様に、弾性材により形成された係止部材３０’及び係止部材３１’の夫々は、弾性変位する付加可動折返部３４Ａまたは３８Ａが，絶縁ハウジング１１における側端部に固定される固定部３２または３６から折り返して伸びる可動折返部３４または３８からさらに折り返して伸びるものとされるので、付加可動折返部３４Ａまたは３８Ａの弾性変位が繰り返されても不所望な塑性変形が生じ難いことになる。従って、不所望な塑性変形を生じ難くすべく、係止部材３０’及び係止部材３１’の夫々を形成する弾性材の厚みを増大させること、付加可動折返部３４Ａまたは３８Ａの長さを増大させること等が不要とされて、係止部材３０’及び係止部材３１’の夫々の大型化がまねかれず、コネクタ装置１０の小型化や低背化に支障をきたさないという利点が得られる。
【００６１】
また、付加可動折返部３４Ａまたは３８Ａから屈曲して突出する突出係合部３５または３９が、絶縁ハウジング１１内に差し込まれたフレキシブル印刷配線基板２０の側端縁部に設けられた切欠き係合部２３または２４に、当該フレキシブル印刷配線基板２０の板面に平行な方向において係合し、また、フレキシブル印刷配線基板２０の板厚より大なる所定の幅を有し得るものとされるので、突出係合部３５または３９のフレキシブル印刷配線基板２０における切欠き係合部２３または２４との係合が十分な係合長をもって行われる。それにより、付加可動折返部３４Ａまたは３８Ａあるいはフレキシブル印刷配線基板２０の、フレキシブル印刷配線基板２０の板面に直交する方向等における変位あるいは変形が生じても、フレキシブル印刷配線基板２０における切欠き係合部２３または２４に係合した突出係合部３５または３９が、その切欠き係合部２３または２４から不所望に外れてしまう事態が回避される。従って、係止部材３０’及び係止部材３１’の夫々が、絶縁ハウジング１１内に差し込まれたフレキシブル印刷配線基板２０を、絶縁ハウジング１１からの不所望な離脱を阻止すべく安定に係止することになる。
【実施例２】
【００６２】
図８及び図９は、本発明に係るコネクタ装置の他の例を示す。
【００６３】
図８及び図９において、本発明に係るコネクタ装置の他の例を成すコネクタ装置４０は、合成樹脂等の絶縁材料によって形成された絶縁ハウジング４１を備えており、絶縁ハウジング４１には、その正面側端縁部に板状部材差込み部４２が設けられている。絶縁ハウジング４１は、例えば、図示されていない主配線基板に配され、それにより、コネクタ装置４０の全体が主配線基板に取り付けられたものとされる。そして、板状部材差込み部４２を通じて、例えば、後述されるフレキシブル印刷配線基板が、配線板状部材を成すものとして絶縁ハウジング４１の内部に差し込まれる。
【００６４】
絶縁ハウジング４１には、その内部に、各々が弾性導電材料で形成された第１の複数のコンタクト４３及び第２の複数のコンタクト４４が、交互に配列配置されて設けられている。第１の複数のコンタクト４３は、絶縁ハウジング４１の内部に、例えば、正面側端縁部側から押圧挿入されたものとされ、また、第２の複数のコンタクト４４は、絶縁ハウジング４１の内部に、例えば、背面側端縁部側から押圧挿入されたものとされる。
【００６５】
また、絶縁ハウジング４１における背面側端縁部側には、第１及び第２の複数のコンタクト４３及び４４の配列方向に沿って伸びるアクチュエータ４５が、第１及び第２の複数のコンタクト４３及び４４により支持されて、絶縁ハウジング４１に対して回動可能に配されている。アクチュエータ４５は、図８に示されるような、絶縁ハウジング４１に対して起き上がった状態をとるものとされる位置を、第１の静止位置としてとることができ、また、図９に示されるような、絶縁ハウジング４１に対して伏した状態をとるものとされる位置を、第２の静止位置としてとることができて、絶縁ハウジング４１に対して回動せしめられることにより、第１の静止位置から第２の静止位置への移行、あるいは、第２の静止位置から第１の静止位置への移行を行うものとされている。
【００６６】
そして、アクチュエータ４５は、絶縁ハウジング４１における背面側端縁部側に配された仮想回動軸部を成す一端部とそれに対向する自由端部４６を成す他端部とを有しており、第１の静止位置から第２の静止位置に移行せしめられるとき、自由端部４６を成す他端部が絶縁ハウジング４１における背面側端縁部側から正面側端縁部側に向かう方向の回動を行うものとされる。このようなアクチュエータ４５には、自由端部４６を成す他端部側の第１及び第２の複数のコンタクト４３及び４４の配列方向において相互対向する一対の側端部分の夫々における、絶縁ハウジング４１における背面側端縁部側から正面側端縁部側に向かう方向の回動に際して絶縁ハウジング４１内に臨む面に、角柱状の突起部４７が設けられている。これらの一対の突起部４７の夫々は、図９に示されるようにアクチュエータ４５が第２の静止位置をとるもとにあっては、絶縁ハウジング４１内に位置するものとされて絶縁ハウジング４１の外部からは見えない。
【００６７】
絶縁ハウジング４１内に配列配置されて設けられる第１及び第２の複数のコンタクト４３及び４４の夫々は、弾性導電材料で形成されていて、絶縁ハウジング４１に固定される固定部と、固定部に対して変位可能とされた可動部と、固定部の中間部分と可動部の中間部分とを連結する連結部とを有した、全体としてエ字状を成す板状部材とされている。そして、絶縁ハウジング４１に対して回動可能に配されたアクチュエータ４５には、絶縁ハウジング４１における背面側端縁部側に配された仮想回動軸部を成す一端部に、複数のカム部が設けられており、これらの複数のカム部が、第１及び第２の複数のコンタクト４３及び４４に、それらの各々における固定部の一端部分と可動部の一端部分とにより挟まれて、夫々係合するものとされている。このように、複数のカム部が、第１及び第２の複数のコンタクト４３及び４４に、それらの各々における固定部の一端部分と可動部の一端部分とにより挟まれて、夫々係合していることにより、アクチュエータ４５についての、第１及び第２の複数のコンタクト４３及び４４により支持されて、絶縁ハウジング４１に対して回動可能に配される状態が得られている。
【００６８】
アクチュエータ４５が第１の静止位置におかれるもとにおいては、アクチュエータ４５に設けられた複数のカム部の夫々が、第１及び第２の複数のコンタクト４３及び４４のうちの対応するものにおける可動部に、可動部の他端部と固定部の他端部とが絶縁ハウジング４１に設けられた板状部材差込み部４２側において形成する相互間隔が、板状部材差込み部４２を通じて絶縁ハウジング４１の内部に差し込まれる配線板状部材を成すフレキシブル印刷配線基板の板厚より大である比較的大なるものとされる位置を維持させる。
【００６９】
図１０は、図８及び図９に示されるコネクタ装置４０を、その第１及び第２の複数のコンタクト４３及び４４の配列方向における一端部（図１０における右端部）を破断した状態をもって示し、さらに、絶縁ハウジング４１に設けられた板状部材差込み部４２を通じて絶縁ハウジング４１内に差し込まれる配線板状部材を成すフレキシブル印刷配線基板２０を示す。フレキシブル印刷配線基板２０は、既に説明された図３に示されるフレキシブル印刷配線基板２０と同様のものであり、図３に示されるフレキシブル印刷配線基板２０と共通の符号が付されて示されていて、それについての詳細説明は省略される。
【００７０】
図１０に示されるコネクタ装置４０にあっては、その図１０における右端部において、絶縁ハウジング４１における第１及び第２の複数のコンタクト４３及び４４の配列方向の一側端部である図１０において右方とされる側端部（以下、右側端部という。）に、板状部材差込み部４２を通じて絶縁ハウジング４１内に差し込まれたフレキシブル印刷配線基板２０における側端縁部に設けられた切欠き係合部２３に係合して、フレキシブル印刷配線基板２０を係止する係止部材５０が配されている。また、図１０に示されるコネクタ装置４０にあっては、その第１及び第２の複数のコンタクト４３及び４４の配列方向における他端部（図１０における左端部）において、絶縁ハウジング４１における第１及び第２の複数のコンタクト４３及び４４の配列方向の他側端部である図１０において左方とされる側端部（以下、左側端部という。）にも、板状部材差込み部４２を通じて絶縁ハウジング４１内に差し込まれたフレキシブル印刷配線基板２０における側端縁部に設けられた切欠き係合部２４に係合して、フレキシブル印刷配線基板２０を係止する係止部材５１が配されている。
【００７１】
絶縁ハウジング４１における右側端部に配された係止部材５０は、弾性材により形成されて、図１０に示されるように、絶縁ハウジング４１における右側端部を構成する板状部材４８に固定される固定部５２と、固定部５２からＵ字状部５３を介して折り返して伸びる可動折返部５４と、可動折返部５４から屈曲して突出する突出係合部５５とを有している。このようなもとで、Ｕ字状部５３は、固定部５２と可動折返部５４とを連結する役割を果たしている。
【００７２】
また、絶縁ハウジング４１における左側端部に配された係止部材５１も、係止部材５０と同様に、弾性材により形成されて、絶縁ハウジング４１における左側端部を構成する板状部材４９に固定される固定部５６と、固定部５６からＵ字状部５７（図に現れていない）を介して折り返して伸びる可動折返部５８と、可動折返部５８から屈曲して突出する突出係合部５９（図に現れていない）とを有している。固定部５６，Ｕ字状部５７，可動折返部５８及び突出係合部５９は、係止部材５０の固定部５２，Ｕ字状部５３，可動折返部５４及び突出係合部５５に夫々対応するものであり、Ｕ字状部５７は固定部５６と可動折返部５８とを連結する役割を果たしている。
【００７３】
そして、図１０における破線矩形枠ii内を拡大図示する図１１に示されるように、アクチュエータ４５が第１の静止位置をとるもとで、フレキシブル印刷配線基板２０が絶縁ハウジング４１内に差し込まれ、その後、図１０における破線矩形枠ii内に対応する部分を拡大図示する図１２に示されるように、アクチュエータ４５が、第１の静止位置から第２の静止位置へと移行して、第２の静止位置におかれるとき、アクチュエータ４５と係止部材５０との係合状態を示す図１３に示されるように、アクチュエータ４５における自由端部４６を成す他端部側の面に設けられた突起部４７が係止部材５０に係合する。この突起部４７の係止部材５０との係合は、図１２及び図１３に示されるように、突起部４７が係止部材５０の固定部５２と可動折返部５４との間に差し込まれることにより行われ、それにより、可動折返部５４が、絶縁ハウジング４１内に差し込まれたフレキシブル印刷配線基板２０の板面に平行な方向に弾性変位せしめられるものとされる。そして、斯かる可動折返部５４のフレキシブル印刷配線基板２０の板面に平行な方向への弾性変位に伴って、突出係合部５５もフレキシブル印刷配線基板２０の板面に平行な方向に変位し、その突出係合部５５が、絶縁ハウジング４１内に差し込まれたフレキシブル印刷配線基板２０の側端縁部に設けられた切欠き係合部２３に係合する。それにより、係止部材５０が、絶縁ハウジング４１内に差し込まれたフレキシブル印刷配線基板２０を絶縁ハウジング４１からの不所望な離脱を阻止すべく係止することになる。
【００７４】
同様に、係止部材５１も、アクチュエータ４５が第１の静止位置をとるもとで、フレキシブル印刷配線基板２０が絶縁ハウジング４１内に差し込まれ、その後、アクチュエータ４５が、第１の静止位置から第２の静止位置へと移行して、第２の静止位置におかれるとき、アクチュエータ４５における自由端部４６を成す他端部側の面に設けられた突起部４７が、固定部５６と可動折返部５８との間に差し込まれて、可動折返部５８が、絶縁ハウジング４１内に差し込まれたフレキシブル印刷配線基板２０の板面に平行な方向に弾性変位せしめられるものとされる。斯かる可動折返部５８のフレキシブル印刷配線基板２０の板面に平行な方向への弾性変位に伴って、突出係合部５９もフレキシブル印刷配線基板２０の板面に平行な方向に変位し、その突出係合部５９が、絶縁ハウジング４１内に差し込まれたフレキシブル印刷配線基板２０の側端縁部に設けられた切欠き係合部２４に係合する。それにより、係止部材５１が、絶縁ハウジング４１内に差し込まれたフレキシブル印刷配線基板２０を絶縁ハウジング４１からの不所望な離脱を阻止すべく係止することになる。
【００７５】
また、上述のように、アクチュエータ４５が第１の静止位置をとるもとにおいて、フレキシブル印刷配線基板２０が絶縁ハウジング４１内に板状部材差込み部４２を通じて差し込まれるときには、絶縁ハウジング４１内に配列配置された第１及び第２の複数のコンタクト４３及び４４は、第１の複数のコンタクト４３が、絶縁ハウジング４１内に差し込まれたフレキシブル印刷配線基板２０に設けられた第１の複数の接続端子部２１に夫々対応する位置をとるものとなり、第２の複数のコンタクト４４が、絶縁ハウジング４１内に差し込まれたフレキシブル印刷配線基板２０に設けられた第２の複数の接続端子部２２に夫々対応する位置をとるものとなる。そして、その後、アクチュエータ４５が、第１の静止位置から第２の静止位置に移行すると、絶縁ハウジング４１内に配列配置された第１及び第２の複数のコンタクト４３及び４４が、絶縁ハウジング４１内に差し込まれたフレキシブル印刷配線基板２０に設けられた第１及び第２の複数の接続端子部２１及び２２に夫々押圧接触するものとされる。
【００７６】
斯かる際においては、アクチュエータ４５の第１の静止位置から第２の静止位置への移行に伴って、アクチュエータ４５に設けられた複数のカム部の夫々が、第１及び第２の複数のコンタクト４３及び４４のうちの対応するものにおける可動部を、可動部の他端部と固定部の他端部とが絶縁ハウジング４１に設けられた板状部材差込み部４２側において形成する相互間隔を狭めるように変位させ、可動部に、その他端部が絶縁ハウジング４１内に差し込まれたフレキシブル印刷配線基板２０における第１及び第２の複数の接続端子部２１及び２２のうちの対応するものに押圧接触する状態をとらせる。それにより、絶縁ハウジング４１内に差し込まれたフレキシブル印刷配線基板２０とコネクタ装置４０との電気的接続がなされる。
【００７７】
その後、第１及び第２の複数のコンタクト４３及び４４の夫々を、絶縁ハウジング４１内に差し込まれたフレキシブル印刷配線基板２０における第１及び第２の複数の接続端子部２１及び２２のうちの対応するものに対する押圧接触状態から解放すべく、アクチュエータ４５が第２の静止位置から第１の静止位置へと移行せしめられるべく回動操作されると、アクチュエータ４５における自由端部４６を成す他端部側の面に設けられた一対の突起部４７が、係止部材５０における固定部５２と可動折返部５４との間、及び、係止部材５１における固定部５６と可動折返部５８との間から夫々抜き出され、係止部材５０が具える弾性により、係止部材５０の可動折返部５４が、それから屈曲して伸びる突出係合部５５を伴って弾性変位して元に戻り、また、係止部材５１が具える弾性により、係止部材５１の可動折返部５８が、それから屈曲して伸びる突出係合部５９を伴って弾性変位して元に戻る。
【００７８】
それに伴い、係止部材５０の突出係合部５５が、絶縁ハウジング４１内に差し込まれたフレキシブル印刷配線基板２０の側端縁部に設けられた切欠き係合部２３から外れるとともに、係止部材５１の突出係合部５９が、絶縁ハウジング４１内に差し込まれたフレキシブル印刷配線基板２０の側端縁部に設けられた切欠き係合部２４から外れて、係止部材５０及び５１が、絶縁ハウジング４１内に差し込まれたフレキシブル印刷配線基板２０についての係止状態を解除する。
【００７９】
上述のように、図８及び図９に示されるコネクタ装置４０にあっては、弾性材により形成された係止部材５０及び５１の夫々による、絶縁ハウジング４１内に差し込まれたフレキシブル印刷配線基板２０についての絶縁ハウジング４１からの不所望な離脱を阻止するための係止が、アクチュエータ４５における自由端部４６を成す他端部側の面に設けられた突起部４７が係止部材５０及び５１の夫々の固定部５２または５６と可動折返部５４または５８との間に差し込まれて、可動折返部５４または５８が絶縁ハウジング４１内に差し込まれたフレキシブル印刷配線基板２０の板面に平行な方向に弾性変位せしめられ、それに伴って、可動折返部５４または５８から屈曲して突出する突出係合部５５または５９が、フレキシブル印刷配線基板２０の板面に平行な方向に変位して、絶縁ハウジング４１内に差し込まれたフレキシブル印刷配線基板２０の側端縁部に設けられた切欠き係合部２３または２４に係合することにより、行われる。
【００８０】
このように、弾性材により形成された係止部材５０及び５１の夫々は、弾性変位する可動折返部５４または５８が絶縁ハウジング４１における側端部に固定される固定部５２または５６から折り返して伸びるものとされるので、可動折返部５４または５８の弾性変位が繰り返されても不所望な塑性変形が生じ難いことになる。従って、不所望な塑性変形を生じ難くすべく、係止部材５０及び５１の夫々を形成する弾性材の厚みを増大させること、可動折返部５４または５８の長さを増大させること等が不要とされて、係止部材５０及び５１の夫々を大型化させることがなく、コネクタ装置４０の小型化や低背化に支障をきたさないという利点が得られる。
【００８１】
また、可動折返部５４または５８から屈曲して突出する突出係合部５５または５９が、絶縁ハウジング４１内に差し込まれたフレキシブル印刷配線基板２０の側端縁部に設けられた切欠き係合部２３または２４に、当該フレキシブル印刷配線基板２０の板面に平行な方向において係合し、また、フレキシブル印刷配線基板２０の板厚より大なる所定の幅を有し得るものとされるので、突出係合部５５または５９のフレキシブル印刷配線基板２０における切欠き係合部２３または２４との係合が十分な係合長をもって行われる。それにより、突出係合部５５または５９のフレキシブル印刷配線基板２０における切欠き係合部２３または２４との係合が十分な係合長をもって行われ、可動折返部５４または５８あるいはフレキシブル印刷配線基板２０の、フレキシブル印刷配線基板２０の板面に直交する方向等における変位あるいは変形が生じても、フレキシブル印刷配線基板２０における切欠き係合部２３または２４に係合した突出係合部５５または５９が、その切欠き係合部２３または２４から不所望に外れてしまう事態が回避される。従って、係止部材５０及び５１の夫々が、絶縁ハウジング４１内に差し込まれたフレキシブル印刷配線基板２０を、絶縁ハウジング４１からの不所望な離脱を阻止すべく安定に係止することになる。
【実施例３】
【００８２】
図１４及び図１５は、本発明に係るコネクタ装置のさらに他の例を示す。
【００８３】
図１４及び図１５において、本発明に係るコネクタ装置のさらに他の例を成すコネクタ装置６０は、合成樹脂等の絶縁材料によって形成された絶縁ハウジング６１を備えており、絶縁ハウジング６１には、その正面側端縁部に板状部材差込み部６２が設けられている。絶縁ハウジング６１は、例えば、図示されていない主配線基板に配され、それにより、コネクタ装置６０の全体が主配線基板に取り付けられたものとされる。そして、板状部材差込み部６２を通じて、例えば、後述されるフレキシブル印刷配線基板が、配線板状部材を成すものとして絶縁ハウジング６１の内部に差し込まれる。
【００８４】
絶縁ハウジング６１には、その内部に、各々が弾性導電材料で形成された第１の複数のコンタクト６３及び第２の複数のコンタクト６４が、交互に配列配置されて設けられている。第１の複数のコンタクト６３は、絶縁ハウジング６１の内部に、例えば、正面側端縁部側から押圧挿入されたものとされ、また、第２の複数のコンタクト６４は、絶縁ハウジング６１の内部に、例えば、背面側端縁部側から押圧挿入されたものとされる。
【００８５】
また、絶縁ハウジング６１における背面側端縁部側には、第１及び第２の複数のコンタクト６３及び６４の配列方向に沿って伸びるアクチュエータ６５が、第１及び第２の複数のコンタクト６３及び６４により支持されて、絶縁ハウジング６１に対して回動可能に配されている。アクチュエータ６５は、図１４に示されるような、絶縁ハウジング６１に対して起き上がった状態をとるものとされる位置を、第１の静止位置としてとることができ、また、図１５に示されるような、絶縁ハウジング６１に対して伏した状態をとるものとされる位置を、第２の静止位置としてとることができて、絶縁ハウジング６１に対して回動せしめられることにより、第１の静止位置から第２の静止位置への移行、あるいは、第２の静止位置から第１の静止位置への移行を行うものとされている。
【００８６】
そして、アクチュエータ６５は、絶縁ハウジング６１における背面側端縁部側に配された仮想回動軸部６６を成す一端部とそれに対向する自由端部を成す他端部とを有しており、第１の静止位置から第２の静止位置に移行せしめられるとき、自由端部を成す他端部が絶縁ハウジング６１における正面側端縁部側から遠ざかる方向（背後方向）に回動を行うものとされる。このようなアクチュエータ６５には、仮想回動軸部６６を成す一端部における第１及び第２の複数のコンタクト６３及び６４の配列方向において相互対向する一対の側端部分の夫々に、後出の図１８及び１９に明瞭に示される突起部６７が設けられている。これらの一対の突起部６７の夫々は、アクチュエータ６５が、図１４に示されるように第１の静止位置をとる状態及び図１５に示されるように第２の静止位置をとる状態のいずれにあっても、絶縁ハウジング６１内に位置するものとされて絶縁ハウジング６１の外部からは見えない。
【００８７】
絶縁ハウジング６１内に配列配置されて設けられる第１及び第２の複数のコンタクト６３及び６４の夫々は、弾性導電材料で形成されていて、絶縁ハウジング６１に固定される固定部と、固定部に対して変位可能とされた可動部と、固定部の中間部分と可動部の中間部分とを連結する連結部とを有した、全体としてエ字状を成す板状部材とされている。そして、絶縁ハウジング６１に対して回動可能に配されたアクチュエータ６５には、絶縁ハウジング６１における背面側端縁部側に配された仮想回動軸部６６を成す一端部に、複数のカム部が配列配置されて設けられており、これらの複数のカム部が、第１及び第２の複数のコンタクト６３及び６４に、それらの各々における固定部の一端部分と可動部の一端部分とにより挟まれて、夫々係合するものとされている。このように、複数のカム部が、第１及び第２の複数のコンタクト６３及び６４に、それらの各々における固定部の一端部分と可動部の一端部分とにより挟まれて、夫々係合していることにより、アクチュエータ６５についての、第１及び第２の複数のコンタクト６３及び６４により支持されて、絶縁ハウジング６１に対して回動可能に配される状態が得られている。
【００８８】
アクチュエータ６５が第１の静止位置におかれるもとにおいては、アクチュエータ６５に設けられた複数のカム部の夫々が、第１及び第２の複数のコンタクト６３及び６４のうちの対応するものにおける可動部に、可動部の他端部と固定部の他端部とが絶縁ハウジング６１に設けられた板状部材差込み部６２側において形成する相互間隔が、板状部材差込み部６２を通じて絶縁ハウジング６１の内部に差し込まれる配線板状部材を成すフレキシブル印刷配線基板の板厚より大である比較的大なるものとされる位置を維持させる。
【００８９】
図１６は、図１４及び図１５に示されるコネクタ装置６０を、その第１及び第２の複数のコンタクト６３及び６４の配列方向における一端部（図１６における右端部）を破断した状態をもって示し、さらに、絶縁ハウジング６１に設けられた板状部材差込み部６２を通じて絶縁ハウジング６１内に差し込まれる配線板状部材を成すフレキシブル印刷配線基板２０を示す。フレキシブル印刷配線基板２０は、既に説明された図３に示されるフレキシブル印刷配線基板２０と同様のものであり、図３に示されるフレキシブル印刷配線基板２０と共通の符号が付されて示されていて、それについての詳細説明は省略される。
【００９０】
図１６に示されるコネクタ装置６０にあっては、その図１６における右端部において、絶縁ハウジング６１における第１及び第２の複数のコンタクト６３及び６４の配列方向の一側端部である図１６において右方とされる側端部（以下、右側端部という。）に、板状部材差込み部６２を通じて絶縁ハウジング６１内に差し込まれたフレキシブル印刷配線基板２０における側端縁部に設けられた切欠き係合部２３に係合して、フレキシブル印刷配線基板２０を係止する係止部材７０が配されている。また、図１６に示されるコネクタ装置６０にあっては、その第１及び第２の複数のコンタクト６３及び６４の配列方向における他端部（図１６における左端部）において、絶縁ハウジング６１における第１及び第２の複数のコンタクト６３及び６４の配列方向の他側端部である図１６において左方とされる側端部（以下、左側端部という。）にも、板状部材差込み部６２を通じて絶縁ハウジング６１内に差し込まれたフレキシブル印刷配線基板２０における側端縁部に設けられた切欠き係合部２４に係合して、フレキシブル印刷配線基板２０を係止する係止部材７１が配されている。
【００９１】
絶縁ハウジング６１における右側端部に配された係止部材７０は、弾性材により形成されて、図１６に示されるように、絶縁ハウジング６１における右側端部を構成する板状部材６８に固定される固定部７２と、固定部７２からＵ字状部７３を介して折り返して伸びる可動折返部７４と、可動折返部７４から屈曲して突出する突出係合部７５とを有している。このようなもとで、Ｕ字状部７３は、固定部７２と可動折返部７４とを連結する役割を果たしている。
【００９２】
また、絶縁ハウジング６１における左側端部に配された係止部材７１も、係止部材７０と同様に、弾性材により形成されて、絶縁ハウジング６１における左側端部を構成する板状部材６９に固定される固定部７６（図に現われていない）と、固定部７６からＵ字状部７７を介して折り返して伸びる可動折返部７８（図に現われていない）と、可動折返部７８から屈曲して突出する突出係合部７９（図に現れていない）とを有している。固定部７６，Ｕ字状部７７，可動折返部７８及び突出係合部７９は、係止部材７０の固定部７２，Ｕ字状部７３，可動折返部７４及び突出係合部７５に夫々対応するものであり、Ｕ字状部７７は固定部７６と可動折返部７８とを連結する役割を果たしている。
【００９３】
そして、図１６における破線矩形枠iii 内を拡大図示する図１７及びアクチュエータ６５と係止部材７０との非係合状態を示す図１８に示されるように、アクチュエータ６５が第１の静止位置をとるもとで、フレキシブル印刷配線基板２０が絶縁ハウジング６１内に差し込まれ、その後、図１６における破線矩形枠iii 内に対応する部分を拡大図示する図１９に示されるように、アクチュエータ６５が、第１の静止位置から第２の静止位置へと移行して、第２の静止位置におかれるとき、アクチュエータ６５と係止部材７０との係合状態を示す図２０に示されるように、アクチュエータ６５における仮想回動軸部６６を成す一端部の側端部分に設けられた突起部６７が係止部材７０に係合する。この突起部６７の係止部材７０との係合は、図１９及び図２０に示されるように、突起部６７が係止部材７０の固定部７２と可動折返部７４との間に差し込まれることにより行われ、それにより、可動折返部７４が、絶縁ハウジング６１内に差し込まれたフレキシブル印刷配線基板２０の板面に平行な方向に弾性変位せしめられるものとされる。そして、斯かる可動折返部７４のフレキシブル印刷配線基板２０の板面に平行な方向への弾性変位に伴って、突出係合部７５もフレキシブル印刷配線基板２０の板面に平行な方向に変位し、その突出係合部７５が、絶縁ハウジング６１内に差し込まれたフレキシブル印刷配線基板２０の側端縁部に設けられた切欠き係合部２３に係合する。それにより、係止部材７０が、絶縁ハウジング６１内に差し込まれたフレキシブル印刷配線基板２０を絶縁ハウジング６１からの不所望な離脱を阻止すべく係止することになる。
【００９４】
同様に、係止部材７１も、アクチュエータ６５が第１の静止位置をとるもとで、フレキシブル印刷配線基板２０が絶縁ハウジング６１内に差し込まれ、その後、アクチュエータ６５が、第１の静止位置から第２の静止位置へと移行して、第２の静止位置におかれるとき、アクチュエータ６５における仮想回動軸部６６を成す一端部の側端部分に設けられた突起部６７が、固定部７６と可動折返部７８との間に差し込まれて、可動折返部７８が、絶縁ハウジング６１内に差し込まれたフレキシブル印刷配線基板２０の板面に平行な方向に弾性変位せしめられるものとされる。斯かる可動折返部７８のフレキシブル印刷配線基板２０の板面に平行な方向への弾性変位に伴って、突出係合部７９もフレキシブル印刷配線基板２０の板面に平行な方向に変位し、その突出係合部７９が、絶縁ハウジング６１内に差し込まれたフレキシブル印刷配線基板２０の側端縁部に設けられた切欠き係合部２４に係合する。それにより、係止部材７１が、絶縁ハウジング６１内に差し込まれたフレキシブル印刷配線基板２０を絶縁ハウジング６１からの不所望な離脱を阻止すべく係止することになる。
【００９５】
また、上述のように、アクチュエータ６５が第１の静止位置をとるもとにおいて、フレキシブル印刷配線基板２０が絶縁ハウジング６１内に板状部材差込み部６２を通じて差し込まれるときには、絶縁ハウジング６１内に配列配置された第１及び第２の複数のコンタクト６３及び６４は、第１の複数のコンタクト６３が、絶縁ハウジング６１内に差し込まれたフレキシブル印刷配線基板２０に設けられた第１の複数の接続端子部２１に夫々対応する位置をとるものとなり、第２の複数のコンタクト６４が、絶縁ハウジング６１内に差し込まれたフレキシブル印刷配線基板２０に設けられた第２の複数の接続端子部２２に夫々対応する位置をとるものとなる。そして、その後、アクチュエータ６５が、第１の静止位置から第２の静止位置に移行すると、絶縁ハウジング６１内に配列配置された第１及び第２の複数のコンタクト６３及び６４が、絶縁ハウジング６１内に差し込まれたフレキシブル印刷配線基板２０に設けられた第１及び第２の複数の接続端子部２１及び２２に夫々押圧接触するものとされる。
【００９６】
斯かる際においては、アクチュエータ６５の第１の静止位置から第２の静止位置への移行に伴って、アクチュエータ６５に設けられた複数のカム部の夫々が、第１及び第２の複数のコンタクト６３及び６４のうちの対応するものにおける可動部を、可動部の他端部と固定部の他端部とが絶縁ハウジング６１に設けられた板状部材差込み部６２側において形成する相互間隔を狭めるように変位させ、可動部に、その他端部が絶縁ハウジング６１内に差し込まれたフレキシブル印刷配線基板２０における第１及び第２の複数の接続端子部２１及び２２のうちの対応するものに押圧接触する状態をとらせる。それにより、絶縁ハウジング６１内に差し込まれたフレキシブル印刷配線基板２０とコネクタ装置６０との電気的接続がなされる。
【００９７】
その後、第１及び第２の複数のコンタクト６３及び６４の夫々を、絶縁ハウジング６１内に差し込まれたフレキシブル印刷配線基板２０における第１及び第２の複数の接続端子部２１及び２２のうちの対応するものに対する押圧接触状態から解放すべく、アクチュエータ６５が第２の静止位置から第１の静止位置へと移行せしめられるべく回動操作されると、アクチュエータ６５における仮想回動軸部６６を成す一端部の両側端部分に夫々設けられた一対の突起部６７が、係止部材７０における固定部７２と可動折返部７４との間、及び、係止部材７１における固定部７６と可動折返部７８との間から夫々抜き出され、係止部材７０が具える弾性により、係止部材７０の可動折返部７４が、それから屈曲して伸びる突出係合部７５を伴って弾性変位して元に戻り、また、係止部材７１が具える弾性により、係止部材７１の可動折返部７８が、それから屈曲して伸びる突出係合部７９を伴って弾性変位して元に戻る。
【００９８】
それに伴い、係止部材７０の突出係合部７５が、絶縁ハウジング６１内に差し込まれたフレキシブル印刷配線基板２０の側端縁部に設けられた切欠き係合部２３から外れるとともに、係止部材７１の突出係合部７９が、絶縁ハウジング６１内に差し込まれたフレキシブル印刷配線基板２０の側端縁部に設けられた切欠き係合部２４から外れて、係止部材７０及び７１が、絶縁ハウジング１１内に差し込まれたフレキシブル印刷配線基板２０についての係止状態を解除する。
【００９９】
上述のように、図１４及び図１５に示されるコネクタ装置６０にあっては、弾性材により形成された係止部材７０及び７１の夫々による、絶縁ハウジング６１内に差し込まれたフレキシブル印刷配線基板２０についての絶縁ハウジング６１からの不所望な離脱を阻止するための係止が、アクチュエータ６５における仮想回動軸部６６を成す一端部の側端部分に設けられた突起部６７が係止部材７０及び７１の夫々の固定部７２または７６と可動折返部７４または７８との間に差し込まれて、可動折返部７４または７８が絶縁ハウジング６１内に差し込まれたフレキシブル印刷配線基板２０の板面に平行な方向に弾性変位せしめられ、それに伴って、可動折返部７４または７８から屈曲して突出する突出係合部７５または７９が、フレキシブル印刷配線基板２０の板面に平行な方向に変位して、絶縁ハウジング６１内に差し込まれたフレキシブル印刷配線基板２０の側端縁部に設けられた切欠き係合部２３または２４に係合することにより、行われる。
【０１００】
このように、弾性材により形成された係止部材７０及び７１の夫々は、弾性変位する可動折返部７４または７８が絶縁ハウジング６１における側端部に固定される固定部７２または７６から折り返して伸びるものとされるので、可動折返部７４または７８の弾性変位が繰り返されても不所望な塑性変形が生じ難いことになる。従って、不所望な塑性変形を生じ難くすべく、係止部材７０及び７１の夫々を形成する弾性材の厚みを増大させること、可動折返部７４または７８の長さを増大させること等が不要とされて、係止部材７０及び７１の夫々を大型化させることがなく、コネクタ装置６０の小型化や低背化に支障をきたさないという利点が得られる。
【０１０１】
また、可動折返部７４または７８から屈曲して突出する突出係合部７５または７９が、絶縁ハウジング６１内に差し込まれたフレキシブル印刷配線基板２０の側端縁部に設けられた切欠き係合部２３または２４に、当該フレキシブル印刷配線基板２０の板面に平行な方向において係合し、また、フレキシブル印刷配線基板２０の板厚より大なる所定の幅を有し得るものとされるので、突出係合部７５または７９のフレキシブル印刷配線基板２０における切欠き係合部２３または２４との係合が十分な係合長をもって行われる。それにより、可動折返部７４または７８あるいはフレキシブル印刷配線基板２０の、フレキシブル印刷配線基板２０の板面に直交する方向等における変位あるいは変形が生じても、フレキシブル印刷配線基板２０における切欠き係合部２３または２４に係合した突出係合部７５または７９が、その切欠き係合部２３または２４から不所望に外れてしまう事態が回避される。従って、係止部材７０及び７１の夫々が、絶縁ハウジング６１内に差し込まれたフレキシブル印刷配線基板２０を、絶縁ハウジング６１からの不所望な離脱を阻止すべく安定に係止することになる。
【産業上の利用可能性】
【０１０２】
以上のような本発明に係るコネクタ装置は、例えば、フレキシブル印刷配線基板等とされる配線板状部材の主配線基板への取付けに用いられる、板状部材差込み部が設けられた絶縁ハウジングと、絶縁ハウジング内に配列配置されて設けられる複数のコンタクトと、回動可能に配されて複数のコンタクトの夫々に係合するアクチュエータとを備えたコネクタ装置であって、絶縁ハウジング内に板状部材差込み部を通じて差し込まれた配線板状部材についての絶縁ハウジングからの不所望な離脱を阻止するための係止を、全体の小型化や低背化に支障をきたすことなく、安定に行なうことができることになるものとして、様々な電子機器等に広く適用され得るものである。
【図面の簡単な説明】
【０１０３】
【図１】本発明に係るコネクタ装置の一例を示す斜視図である。
【図２】本発明に係るコネクタ装置の一例を示す斜視図である。
【図３】図１及び図２に示される例を、その一部を破断して、それに差し込まれるフレキシブル印刷配線基板の部分と共に示す一部破断平面図である。
【図４】図３における破線矩形枠i 内を拡大して示す部分平面図である。
【図５】図３における破線矩形枠i 内に対応する部分を拡大して示す部分平面図である。
【図６】係止部材の変形例が用いられた場合における、図１及び図２に示される例の図３に示される破線矩形枠i 内の部分を示す一部破断平面図である。
【図７】係止部材の変形例が用いられた場合における、図１及び図２に示される例の図３に示される破線矩形枠i 内に対応する部分を示す一部破断平面図である。
【図８】本発明に係るコネクタ装置の他の例を示す斜視図である。
【図９】本発明に係るコネクタ装置の他の例を示す斜視図である。
【図１０】図８及び図９に示される例を、その一部を破断して、それに差し込まれるフレキシブル印刷配線基板の部分と共に示す一部破断平面図である。
【図１１】図１０における破線矩形枠ii内を拡大して示す部分平面図である。
【図１２】図１０における破線矩形枠ii内に対応する部分を拡大して示す部分平面図である。
【図１３】図８及び図９に示される例におけるアクチュエータと係止部材との係合状態を示す部分斜視図である。
【図１４】本発明に係るコネクタ装置のさらに他の例を示す斜視図である。
【図１５】本発明に係るコネクタ装置のさらに他の例を示す斜視図である。
【図１６】図１４及び図１５に示される例を、その一部を破断して、それに差し込まれるフレキシブル印刷配線基板の部分と共に示す一部破断平面図である。
【図１７】図１６における破線矩形枠iii 内を拡大して示す部分平面図である。
【図１８】図１４及び図１５に示される例におけるアクチュエータと係止部材との非係合状態を示す部分斜視図である。
【図１９】図１６における破線矩形枠iii 内に対応する部分を拡大して示す部分平面図である。
【図２０】図１４及び図１５に示される例におけるアクチュエータと係止部材との係合状態を示す部分斜視図である。
【符号の説明】
【０１０４】
１０，４０，６０・・・コネクタ装置，  １１，４１，６１・・・絶縁ハウジング，    １２，４２，６２・・・板状部材差込み部，  １３，１４，４３，４４，６３，６４・・・コンタクト，  １５，４５，６５・・・アクチュエータ，  １６，４６・・・自由端部，  １７，１７’，４７，６７・・・突起部，  ２０・・・フレキシブル印刷配線基板，  ２１，２２・・・接続端子部，  ２３，２４・・・切欠き係合部，  ２５，２６，４８，４９，６８，６９・・・板状部材，  ３０，３０’，３１，３１’，５０，５１，７０，７１・・・係止部材，  ３２，３６，５２，５６，７２，７６・・・固定部，  ３３，３７，５３，５７，７３，７７・・・Ｕ字状部，  ３４，３８，５４，５８，７４，７８・・・可動折返部，  ３４Ａ，３８Ａ・・・付加可動折返部，  ３５，３９，５５，５９，７５，７９・・・突出係合部，  ６６・・・仮想回動軸部
【図１】
2010027520.tif 000003
【図２】
2010027520.tif 000004
【図３】
2010027520.tif 000005
【図４】
2010027520.tif 000006
【図５】
2010027520.tif 000007
【図６】
2010027520.tif 000008
【図７】
2010027520.tif 000009
【図８】
2010027520.tif 000010
【図９】
2010027520.tif 000011
【図１０】
2010027520.tif 000012
【図１１】
2010027520.tif 000013
【図１２】
2010027520.tif 000014
【図１３】
2010027520.tif 000015
【図１４】
2010027520.tif 000016
【図１５】
2010027520.tif 000017
【図１６】
2010027520.tif 000018
【図１７】
2010027520.tif 000019
【図１８】
2010027520.tif 000020
【図１９】
2010027520.tif 000021
【図２０】
2010027520.tif 000022